(57)【特許請求の範囲】
【請求項１】
アップリンク固定リソース割当て信号の送信方法であって、
基地局は、移動端末へ、前記アップリンク固定リソース割当て信号が成功に受信された場合の前記移動端末のフィードバック操作を指示するためのフィードバック操作指示情報を含むアップリンク固定リソース割当て信号を、送信し、
前記フィードバック操作指示情報が、
フィードバック位置指示情報、フィードバック情報タイプ、コード・ワード・シーケンスのインデックス情報、フィードバック・イネーブル指示情報の中の少なくともフィードバック位置指示情報を含み、
前記フィードバック位置指示情報は、
フィードバック情報を送信するリソースの前記移動端末に割当てられた固定リソースにおける位置、
前記フィードバック情報を送信するリソースの前記移動端末に割当てられた共通フィードバック・リソースにおける位置、
前記フィードバック情報を送信するリソースのアップリンク・リソースにおける位置、または
前記フィードバックバック情報を送信するリソースの位置、
を獲得するためのマッピング方法および計算方法の中の一つを指示する、
ことを特徴とするアップリンク固定リソース割当て信号の送信方法。
【請求項２】
前記フィードバック情報を送信するリソースが、
一つの物理リソース割当てユニットと、複数の物理リソース割当てユニットと、前記一つの物理リソース割当てユニットにおける一部のリソースと、前記複数の物理リソース割当てユニットにおける一部のリソースの中の一つであり、また、
前記物理リソース割当てユニットが、
一つまたは複数の符号を含む時間領域と一つまたは複数のサブキャリアを含む周波数領域を持つ、二次元構造である
ことを特徴とする請求項１に記載のアップリンク固定リソース割当て信号の送信方法。
【請求項３】
前記フィードバック情報は、
前記移動端末が前記アップリンク固定リソース割当て信号を成功に受信したことを指示する
ことを特徴とする請求項１に記載のアップリンク固定リソース割当て信号の送信方法。
【請求項４】
フィードバック情報タイプが、
前記移動端末の識別情報、前記移動端末に割当てられた固定リソースに係る指示情報、コード・ワード・シーケンスの中の一つを含む
ことを特徴とする請求項１に記載のアップリンク固定リソース割当て信号の送信方法。
【請求項５】
前記コード・ワード・シーケンスは、
直交または準直交のコード・ワード・シーケンス集合である
ことを特徴とする請求項１に記載のアップリンク固定リソース割当て信号の送信方法。
【請求項６】
前記コード・ワード・シーケンスのインデックス情報は、
前記フィードバック情報に対してスペクトラム拡散操作を行うコード・ワード・シーケンスを指示する
ことを特徴とする請求項１に記載のアップリンク固定リソース割当て信号の送信方法。
【請求項７】
前記フィードバック・イネーブル指示情報が、
前記移動端末から前記基地局へのフィードバック情報の送信が要求されるかを指示する
ことを特徴とする請求項１に記載のアップリンク固定リソース割当て信号の送信方法。
【請求項８】
移動端末が、
基地局からのアップリンク固定リソース割当て信号を受信し、そして、
前記アップリンク固定リソース割当て信号に含まれたフィードバック操作指示情報によってフィードバック操作を行い、
前記フィードバック操作指示情報が、
フィードバック位置指示情報、フィードバック情報のタイプ、コード・ワード・シーケンスのインデックス情報、フィードバック・イネーブル指示情報の中の少なくとも一つフィードバック位置指示情報を含み、
前記フィードバック位置指示情報は、
フィードバック情報を送信するリソースの前記移動端末に割当てられた固定リソースにおける位置、
前記フィードバック情報を送信するリソースの前記移動端末に割当てられた共通フィードバック・リソースにおける位置、
前記フィードバック情報を送信するリソースのアップリンク・リソースにおける位置、または
前記フィードバック情報を送信するリソースの位置、
を獲得するためのマッピング方法および計算方法の中の一つを指示する、
ことを含むことを特徴とするアップリンク固定リソース割当て信号の受信方法。
【請求項９】
前記フィードバック・イネーブル指示情報が、
前記移動端末から前記基地局へのフィードバック情報の送信が要求されるかを指示する
ことを特徴とする請求項８に記載のアップリンク固定リソース割当て信号の受信方法。
【請求項１０】
前記フィードバック情報タイプは、
前記移動端末の識別情報、前記移動端末に割当てられた固定リソースに係る指示情報、コード・ワード・シーケンスの中の一つを含む
ことを特徴とする請求項８に記載のアップリンク固定リソース割当て信号の受信方法。
【請求項１１】
前記フィードバック操作指示情報によってフィードバック操作を行うことは、
前記移動端末が、前記フィードバック・イネーブル指示情報によって前記基地局へフィードバック情報を送信するかを決めることと、
前記移動端末が、前記フィードバック位置指示情報によって、前記フィードバック情報を送信したリソースの位置を決めることと、
前記移動端末が、決まった前記リソースの位置で前記フィードバック情報を送信することと、
前記移動端末が、前記コード・ワード・シーケンスのインデックス情報に指示されたコード・ワード・シーケンスで前記フィードバック情報に対しスペクトラム拡散を行い、そして、決まった前記リソースの位置でスペクトラム拡散された前記フィードバック情報を送信すること
の中の少なくとも一つを含む
ことを特徴とする請求項８に記載のアップリンク固定リソース割当て信号の受信方法。
【請求項１２】
前記フィードバック情報は、
前記移動端末が成功に前記アップリンク固定リソース割当て信号を受信したことを指示する
ことを特徴とする請求項１１に記載のアップリンク固定リソース割当て信号の受信方法。
【請求項１３】
前記基地局は、
前記移動端末からのフィードバック情報を成功に受信した場合、前記移動端末が成功に前記アップリンク固定リソース割当て信号を受信したと確認し、
そうでなければ、前記移動端末へ前記アップリンク固定リソース割当て信号を再送信する
ことを含むことを特徴とする請求項１１に記載のアップリンク固定リソース割当て信号の受信方法。
【請求項１４】
移動端末が、
基地局からのアップリンク固定リソース割当て信号を受信し、そして、
前記アップリンク固定リソース割当て信号から前記移動端末に割当てられたアップリンク固定リソースの位置情報に従ってマッピングまたは計算して得られたリソースと、前記移動端末に割当てられた共通フィードバック・リソースにおける全部または一部のリソースと、前記アップリンク固定リソース割当て信号から前記移動端末に割当てられたアップリンク固定リソースの全部または一部のリソースの中の一つを含む予定リソースで、フィードバック情報を送信する
ことを含むことを特徴とするアップリンク固定リソース割当て信号の受信方法。
【請求項１５】
前記予定リソースが、前記アップリンク固定リソース割当て信号から前記移動端末に割当てられたアップリンク固定リソースの全部または一部のリソースである場合、
前記予定リソースの前記アップリンク固定リソースにおける位置は、デフォルトと設定される
ことを特徴とする請求項１４に記載のアップリンク固定リソース割当て信号の受信方法。
【請求項１６】
前記フィードバック情報は、
前記移動端末が成功に前記アップリンク固定リソース割当て信号を受信したこと指示する
ことを特徴とする請求項１４に記載のアップリンク固定リソース割当て信号の受信方法。
【請求項１７】
前記フィードバック情報が、
前記移動端末の識別情報、前記移動端末に割当てられた固定リソースに係る指示情報、コード・ワード・シーケンスの中の一つを含む
ことを特徴とする請求項１４に記載のアップリンク固定リソース割当て信号の受信方法。
【請求項１８】
前記基地局は、
前記移動端末からのフィードバック情報を成功に受信した場合、前記移動端末が成功に前記アップリンク固定リソース割当て信号を受信したと確認し、
そうでなければ、前記移動端末へ前記アップリンク固定リソース割当て信号を再送信する
ことを含むことを特徴とする請求項１４に記載のアップリンク固定リソース割当て信号の受信方法。
【請求項１９】
移動端末グループ内の移動端末が、
基地局からのアップリンク・グループ・リソース割当て信号を受信し、そして、
アップリンク・グループ・リソース位置情報に従ってマッピングまたは計算して得られたリソースと、一つまたは複数の移動端末グループに割当てられた共通フィードバック・リソースの全部または一部のリソースと、前記アップリンク・グループ・リソース割当て信号から前記移動端末に割当てられたアップリンク・グループ・リソースの全部または一部のリソースの中の一つを含む予定リソースで、フィードバック情報を送信する
ことを含むことを特徴とするアップリンク・グループ・リソース割当て信号の受信方法。
【請求項２０】
前記フィードバック情報は、
前記移動端末が成功に前記アップリンク・グループ・リソース割当て信号を受信したことを指示する
ことを特徴とする請求項１９に記載のアップリンク・グループ・リソース割当て信号の送信方法。
【請求項２１】
前記フィードバック情報が、
前記移動端末グループの識別情報、前記移動端末の識別情報、前記移動端末に割当てられたグループ・リソースに係る指示情報、コード・ワード・シーケンス及び直交または準直交のコード・ワード・シーケンスでスペクトラム拡散された後の前記移動端末グループの識別情報、前記移動端末の識別情報、前記移動端末に割当てられたグループ・リソースに係る指示情報、コード・ワード・シーケンスの中の一つを含む
ことを特徴とする請求項１９に記載のアップリンク・グループ・リソース割当て信号の受信方法。
【請求項２２】
前記基地局は、
前記移動端末からのフィードバック情報またはスペクトラム拡散されたフィードバック情報を受信し、そして、
複数の移動端末が同一リソースでフィードバック操作をする場合に、ＣＤＭＡの方式で前記フィードバック情報またはスペクトラム拡散された前記フィードバックを区別する
ことを更に含むことを特徴とする請求項１９に記載のアップリンク・グループ・リソース割当て信号の受信方法。
【請求項２３】
前記基地局は、
前記移動端末からのフィードバック情報を成功に受信した場合、前記移動端末が前記アップリンク・グループ・リソース割当て信号を成功に受信したと確認し、
そうでなければ、前記移動端末へアップリンク・グループ・リソース割当て信号またはアップリンク・リソース割当て信号を再送信する
ことを特徴とする請求項１９に記載のアップリンク・グループ・リソース割当て信号の受信方法。
【発明の詳細な説明】
【技術分野】
【０００１】
本発明は通信分野に関し、具体的には、アップリンク固定リソース割当て信号の送信及び受信方法に関する。
【背景技術】
【０００２】
無線通信システムにおいて、基地局は、設備との間で、基地局から移動端末（Ｍｏｂｉｌｅ  Ｓｔａｔｉｏｎ、ＭＳと略称）へのダウンリンク（前向き）/移動端末から基地局へのアップリンク（逆方向）を介して通信を行う。
通常の応用において、複数の移動端末が、アップリンクを介して同時に基地局へデータを送信することもできるし、ダウンリンクを介して同時に基地局からデータを受信することもできる。
【０００３】
基地局がスケジューリングを制御するデータ伝送システムにおいて、システム・リソースのスケジューリング及び割当ては、通常基地局によって行われる。
ここでいうリソースは、例えば、基地局がダウンリンク伝送を行う場合のダウンリンク・リソース、及び移動端末がアップリンク伝送を行う場合のアップリンク・リソースを含む。
【０００４】
現在、効率的に無線通信システムの制御オーバーヘッドを低減させ、システム全体のスループットを高めるため、固定リソース割当技術がよく採用される。
該技術によって、指定の伝送周期を有し、且つパケットの長さが割と固定化している移動端末リソースの割当てに対する記述オーバーヘッドを低減でき、システムの性能を向上することができる。
リソース割当の過程は通常、メッセージの定義、リソースの割当、リソース再配分などの操作を含む。
【０００５】
基準ＩＥＥＥ８０２.１６を例として、図１に示すように、基地局が、Ｋフレーム目で、アドバンス・マップ（Ａｄｖａｎｃｅｄ  ＭＡＰ、Ａ−ＭＡＰと略称）の中のアップリンク固定リソース割当て情報ＵＬ  Ｐｅｒｓｉｓｔｅｎｔ  Ａ−ＭＡＰ  ＩＥ（その中、Ｐｅｒｓｉｓｔｅｎｔは固定、永久、継続的の意味である）を介して、移動端末ＭＳ−Ａに、固定リソース（Ｐｅｒｓｉｓｔｅｎｔ  Ａ−ＭＡＰ）ＰＡ１を割当てる。
割当て期間は、Ｌフレーム（Ｌ＝４フレームと仮定する）である。つまり、ＭＳ−Ａは、ｋフレーム目、（ｋ＋４）フレーム目、…（ｋ＋Ｎ*４）フレーム目で、基地局によって割当てられた固定リソースを利用する。
そして、基地局は、移動端末ＭＳ−Ａに、移動端末が正確にＵＬ  Ｐｅｒｓｉｓｔｅｎｔ  Ａ−ＭＡＰ  ＩＥを受信できたかどうかを返事するためのフィードバック・チャネル（ＨＡＲＱ  Ｆｅｅｄｂａｃｋ  ＡＬ  Ｌｏｃａｔｉｏｎ）ＨＦＡ１を割当てる。
【発明の概要】
【発明が解決しようとする課題】
【０００６】
上記の方法のように、移動端末に正確にＵＬ  Ｐｅｒｓｉｓｔｅｎｔ  Ａ−ＭＡＰ  ＩＥの情報を受信できたかを返事させるために、移動端末毎にフィードバック・チャネル（ＨＡＲＱ  Ｆｅｅｄｂａｃｋ  ＡＬ  Ｌｏｃａｔｉｏｎ）を割当てたら、シグナリング・オーバーヘッドの浪費を引き起す。
【課題を解決するための手段】
【０００７】
本発明は、関係技術において移動端末に正確にＵＬ  Ｐｅｒｓｉｓｔｅｎｔ  Ａ−ＭＡＰ  ＩＥ情報を受信できたかを返事させるために、移動端末毎にフィードバック・チャネルを割当てることに、シグナリング・オーバーヘッドの問題があることを考慮してなされたものである。
上記問題を解決するために、本発明は、改良されたアップリンク固定リソース割当て信号の伝送方法を提供することを目的とする。
【０００８】
本発明の一方面によると、アップリンク固定リソース割当て信号の送信方法であって、基地局は、移動端末へ、アップリンク固定リソース割当て信号が成功に受信された場合の移動端末のフィードバック操作を指示するためのフィードバック操作指示情報を含むアップリンク固定リソース割当て信号を送信することを含むことを特徴とするアップリンク固定リソース割当て信号の送信方法を提供した。
【０００９】
関係技術において、基地局は移動端末毎にフィードバック・チャネルを割当てる。
本発明の実施例においては、フィードバック操作指示情報は移動端末がアップリンク固定リソース割当て信号を成功に受信した場合に行うべきフィードバック操作を指示し、それから、該基地局が該フィードバック操作によって、該移動端末にフィードバック・チャネルを割当てるということになっているので、基地局の割当てるフィードバック・チャネルの数を減少でき、信号の無駄を避けることができる。
【００１０】
該一方面では、フィードバック操作指示情報が、フィードバック位置指示情報、フィードバック情報タイプ、コード・ワード・シーケンスのインデックス情報、フィードバック・イネーブル指示情報の中の少なくともフィードバック位置指示情報を含む。
【００１１】
フィードバック位置指示情報は、フィードバック情報を送信するリソースの移動端末に割当てられた固定リソースにおける位置、フィードバック情報を送信するリソースの移動端末に割当てられた共通フィードバック・リソースにおける位置、フィードバック情報を送信するリソースのアップリンク・リソースにおける位置、フィードバック情報を送信するリソースの位置を獲得するためのマッピング方法や計算方法の中の一つを指示する。
【００１２】
フィードバック情報を送信するリソースが一つの物理リソース割当てユニットと、複数の物理リソース割当てユニットと、一つの物理リソース割当てユニットにおける一部のリソースと、複数の物理リソース割当てユニットにおける一部のリソースの中の一つであり、また、物理割当てユニットが一つまたは複数の符号及び一つまたは複数のサブキャリアを含む時間領域と周波数領域を持つ二次元構造であることが好ましい。
【００１３】
フィードバック情報は、移動端末がアップリンク固定リソース割当て信号を成功に受信したことを指示することが好ましい。フィードバック情報タイプが、移動端末の識別情報と、移動端末に割当てられた固定リソースに係る指示情報と、コード・ワード・シーケンスの中の一つを含むことが好ましい。コード・ワード・シーケンスは直交または準直交のコード・ワード・シーケンス集合であることが好ましい。コード・ワード・シーケンスのインデックス情報はフィードバック情報に対してスペクトラム拡散操作を行うコード・ワード・シーケンスを指示することが好ましい。フィードバック・イネーブル指示情報が移動端末から基地局へのフィードバック情報の送信が要求されるかを指示することが好ましい。
【００１４】
本発明のもう一つの方面によると、移動端末が基地局からのアップリンク固定リソース割当て信号を受信し、そして、アップリンク固定リソース割当て信号に含まれたフィードバック操作指示情報によってフィードバック操作を行うことを含むアップリンク固定リソース割当て信号の受信方法も提供した。
【００１５】
該もう一つの方面では、フィードバック操作指示情報が、フィードバック位置指示情報と、フィードバック情報のタイプと、コード・ワード・シーケンスのインデックス情報と、フィードバック・イネーブル指示情報の中の少なくともフィードバック位置指示情報を含む。フィードバック・イネーブル指示情報が移動端末から基地局へのフィードバック情報の送信が要求されるかを指示することが好ましい。フィードバック情報タイプは、移動端末の識別情報と、移動端末に割当てられた固定リソースに係る指示情報と、コード・ワード・シーケンスの中の一つを含むことが好ましい。
【００１６】
フィードバック操作指示情報によってフィードバック操作を行うことは、移動端末がフィードバック・イネーブル指示情報によって基地局へフィードバック情報を送信するかを決めることと、移動端末がフィードバック位置指示情報によってフィードバック情報を送信したリソースの位置を決めることと、移動端末が決まったリソースの位置でフィードバック情報を送信することと、移動端末がコード・ワード・シーケンスのインデックス情報に指示されたコード・ワード・シーケンスでフィードバック情報に対しスペクトラム拡散を行い、そして、決まったリソースの位置でスペクトラム拡散されたフィードバック情報を送信することの中の少なくとも一つを含むことが好ましい。フィードバック情報は移動端末が成功にアップリンク固定リソース割当て信号を受信したことを指示することが好ましい。
【００１７】
上記の方法にはまた、基地局が成功に移動端末からのフィードバック情報を受信した場合、移動端末が成功にアップリンク固定リソース割当て信号を受信したと確認し、そうでなければ、基地局が移動端末へアップリンク固定リソース割当て信号を再送信することを含むことが好ましい。
【００１８】
本発明のもう一つの方面によると、移動端末が基地局からのアップリンク固定リソース割当て信号を受信し、また、アップリンク固定リソース割当て信号から移動端末に割当てられたアップリンク固定リソースの位置情報に従ってマッピングまたは計算して得られたリソースと、移動端末に割当てられた共通フィードバック・リソースにおける全部または一部のリソースと、アップリンク固定リソース割当て信号から移動端末に割当てられたアップリンク固定リソースの全部または一部のリソースの中の一つを含む予定リソースでフィードバック情報を送信することを含むアップリンク固定リソース割当て信号の受信方法を提供した。
【００１９】
予定リソースがアップリンク固定リソース割当て信号から移動端末に割当てられたアップリンク固定リソースの全部または一部のリソースである場合、予定リソースのアップリンク固定リソースにおける位置はデフォルトと設定されることが好ましい。
【００２０】
フィードバック情報は移動端末が成功にアップリンク固定リソース割当て信号を受信したこと指示することが好ましい。フィードバック情報が、移動端末の識別情報と、移動端末に割当てられた固定リソースに係る指示情報と、コード・ワード・シーケンスの中の一つを含むことが好ましい。
【００２１】
基地局が成功に移動端末からのフィードバック情報を受信した場合、移動端末が成功にアップリンク固定リソース割当て信号を受信したと確認し、そうでなければ、基地局が移動端末へアップリンク固定リソース割当て信号を再送信することが好ましい。
【００２２】
本発明のもう一つの方面によると、移動端末グループ内の移動端末が基地局からのアップリンク・グループ・リソース割当て信号を受信し、そして、アップリンク・グループ・リソース位置情報に従ってマッピングまたは計算して得られたリソースと、一つまたは複数の移動端末グループに割当てられた共通フィードバック・リソースの全部または一部のリソースと、アップリンク・グループ・リソース割当て信号から移動端末に割当てられたアップリンク・グループ・リソースの全部または一部のリソースの中の一つを含む予定リソースで、フィードバック情報を送信することを含むアップリンク・グループ・リソース割当て信号の受信方法を提供した。
【００２３】
フィードバック情報は移動端末が成功にアップリンク・グループ・リソース割当て信号を受信したことを指示することが好ましい。フィードバック情報が、移動端末グループの識別情報と、移動端末の識別情報と、移動端末に割当てられたグループ・リソースに係る指示情報と、コード・ワード・シーケンス、及び直交または準直交のコード・ワード・シーケンスでスペクトラム拡散された後の移動端末グループの識別情報と、移動端末の識別情報と、移動端末に割当てられたグループ・リソースに係る指示情報と、コード・ワード・シーケンスの中の一つを含むことが好ましい。
【００２４】
基地局は移動端末からのフィードバック情報またはスペクトラム拡散されたフィードバック情報を受信し、そして、複数の移動端末が同一リソースでフィードバック操作をする場合に、ＣＤＭＡの方式でフィードバック情報またはスペクトラム拡散されたフィードバックを区別することを更に含むことが好ましい。
【００２５】
基地局は、移動端末からのフィードバック情報を成功に受信した場合、移動端末がアップリンク・グループ・リソース割当て信号を成功に受信したと確認し、そうでなければ、移動端末へアップリンク・グループ・リソース割当て信号またはアップリンク・リソース割当て信号を再送信することが好ましい。
【発明の効果】
【００２６】
本発明が提供した上記の技術案の少なくとも一つによると、アップリンク固定リソース割当て信号にフィードバック操作指示情報を含ませることやデフォルト設定によって移動端末のフィードバック操作を指示することで、移動端末毎にフィードバック・チャネルを割当てる必要がなくなり、現存技術に比べ、シグナリング・オーバーヘッドの低減を実現できるようになった。
図面は本発明を一層理解するために提供し、明細書の一部として、本発明の実施例と一緒に本発明を説明するものであり、本発明を限定するものではない。
【図面の簡単な説明】
【００２７】
【図１】図１は、関係技術に係わる固定リソース割当て過程を示す図である。
【図２】図２は、本発明の具体実施例１、実施例２、実施例３、実施例４、実施例５の固定リソース割当ての過程を示す図である。
【図３】図３は、本発明の具体実施例６の固定リソース割当て過程を示す図である。
【図４】図４は、本発明の具体実施例７、実施例８の固定リソース割当て過程を示す図である。
【図５】図５は、本発明の具体実施例９、実施例１０の固定リソース割当て過程を示す図である。
【図６】図６は、本発明の具体実施例１１のグループ・リソース割当て過程を示す図である。
【発明を実施するための形態】
【００２８】
以下、図面を結合して、本発明の好適の実施例を説明する。お互いに矛盾しない限り、本発明における実施例及び実施例に記載の特徴を組み合わせることができる。
【００２９】
以下の記述において、前記フィードバック操作指示情報が、フィードバック位置指示情報、フィードバック情報のタイプ、コード・ワード・シーケンスのインデックス情報（ここでいうコード・ワード・シーケンスが直交または準直交のコード・ワード・シーケンス集合に属する）、フィードバック・イネーブル指示情報、の中の少なくとも一つを含む。
その中、コード・ワード・シーケンスのインデックス情報は、フィードバック情報に対してスペクトラム拡散操作を行うコード・ワード・シーケンスを移動端末に指示するためのものである。
【００３０】
フィードバック・イネーブル指示情報が、移動端末から基地局へのフィードバック情報の送信が要求されるかを指示するものである。
【００３１】
フィードバック位置指示情報は、フィードバック情報を送信するリソースの移動端末に割当てられた固定リソースにおける位置と、フィードバック情報を送信するリソースの移動端末に割当てられた共通フィードバック・リソースにおける位置と、フィードバック情報を送信するリソースのアップリンク・リソースにおける位置と、フィードバック情報を送信するリソースの位置を獲得するためのマッピング方法又は計算方法の中の一つを指示するためのものである。
ここでいうフィードバック情報は、移動端末が成功にアップリンク固定リソース割当て信号を受信したことを指示するものである。
ここでいうフィードバック情報タイプは、移動端末の識別情報、移動端末に割当てられた固定リソースに係わる指示情報、コード・ワード・シーケンスの中の一つを含む。
その中、フィードバック情報は、移動端末がアップリンク固定リソース割当て信号を成功に受信したことを指示するためのものである。
【００３２】
フィードバック情報を送信するリソースは、一つの物理リソース割当てユニット、複数の物理リソース割当てユニット、一つの物理リソース割当てユニットの中の一部のリソース、複数の物理リソース割当てユニットの中の一部のリソースの中の一つである。
その中、物理リソース割当てユニットは、一つまたは複数の符号及び一つ又は複数のサブキャリアを含む時間領域と周波数領域を持つ二次元構造である。
【００３３】
以下の実施例１乃至実施例３において、基地局から移動端末へアップリンク固定リソース割当て信号を送信する。そして、アップリンク固定リソース割当て信号には、フィードバック操作指示情報を含ませる。
その後、移動端末が、フィードバック操作指示情報によって、アップリンク固定リソース割当て信号を成功に受信したことをフィードバックする。
【００３４】
［実施例１］
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が５つのダウンリンク・サブフレームの中のサブフレーム１、サブフレーム２及びサブフレーム３で送信されるＡ−ＭＡＰメッセージに、それぞれアップリンク・サブフレーム６、アップリンク・サブフレーム７、アップリンク・サブフレーム８の関係制御情報が含まれていると仮定する。
【００３５】
図２に示す通り、基地局が、ｋフレーム目でサブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａにアップリンク固定リソースＰＡ１（サブフレーム６に含まれる）を割当てる。
割当周期（ＡＬ  Ｌｏｃａｔｉｏｎ  Ｐｅｒｉｏｄ、ＡＰと略称）は、４フレームである。
図２に示す通り、ＬＲＵは、一つまたは複数の符号及び一つまたは複数のサブキャリアを含む時間領域と周波数領域を持つ二次元構造の一つのリソース割当てユニットである。
【００３６】
ＵＬ  Ｐｅｒｓｉｓｔｅｎｔ  Ａ−ＭＡＰ  ＩＥは、上記の移動端末ＭＳ−Ａに割当てられたアップリンク固定リソースＰＡ１に関する情報の他、（１）フィードバック位置指示情報と、（２）フィードバック・情報と、を含むことが好ましい。
【００３７】
（１）フィードバック位置指示情報
本実施例において、フィードバック位置指示情報で指示されるのは、ＰＡ１におけるＬＲＵ１の相対位置情報である。例えば、「０１」が、ＰＡ１の中の一つ目のＬＲＵ、つまりＬＲＵ１を表す。
あるいは、ＬＲＵ１の位置情報が、アップリンク・リソースにおける実際の位置情報で表すことも可能である。例えば、「００００１」が、ＰＡ１ の一番目のＬＲＵ（つまりＬＲＵ１）のアップリンク・リソースにおける位置情報を表す。
【００３８】
（２）フィードバック情報
該実施例において、フィードバック情報は、予め定義されたコード・ワード・シーケンスである。例えば、「１」が、ＵＬ  Ｐｅｒｓｉｓｔｅｎｔ  Ａ−ＭＡＰ  ＩＥを成功に受信したことを表す。
コード・ワード・シーケンスは、一組の直交のコード・ワード・シーケンス集合からのもの、または一組の準直交のコード・ワード・シーケンス集合からのものが好ましい。
あるいは、ここでいうフィードバック情報は、移動端末の識別情報（例えば「００１」がＭＳ−Ａを表す）または移動端末に割当てられたアップリンク固定リソースに関する情報（例「１０」はＰＡ１のＬＲＵ数が２であること、「０１」はＰＡ１の初期位置がＬＲＵ１であること、または「１０」がＰＡ１の終了位置がＬＲＵ２であることを表す）であることもできる。
【００３９】
移動端末ＭＳ−Ａが、基地局から送信されたアップリンク固定リソース割当て信号ＵＬ  Ｐｅｒｓｉｓｔｅｎｔ  Ａ−ＭＡＰ  ＩＥを受信し、デコードし、アップリンク固定リソース割当て信号のフィードバック操作を行う。
フィードバック操作は、具体的に下記の（１）乃至（２）のステップを含むことが好ましい。
【００４０】
ステップ（１）において、移動端末ＭＳ−Ａが、基地局からのＵＬ  Ｐｅｒｓｉｓｔｅｎｔ  Ａ−ＭＡＰ  ＩＥを受信し、デコードする。
【００４１】
ステップ（２）において、移動端末ＭＳ−Ａは、フィードバック位置指示情報によってフィードバック情報を送信するリソースの位置を決め、そして、フィードバック位置指示情報に指示されたＬＲＵ１でフィードバック情報（「１」）を送信する。
該ステップにおいて、フィードバック情報が移動端末の識別情報である場合、移動端末は移動端末の識別情報をフィードバックしてもよい。
【００４２】
基地局は、移動端末ＭＳ−Ａに割当てられたＰＡ１のＬＲＵ１から該フィードバック情報「１」を受信したら、移動端末ＭＳ−Ａが成功にＵＬ  Ｐｅｒｓｉｓｔｅｎｔ  Ａ−ＭＡＰ  ＩＥを受信したと確認する。
そうでなければ、移動端末ＭＳ−ＡがＵＬ  Ｐｅｒｓｉｓｔｅｎｔ  Ａ−ＭＡＰ  ＩＥを成功に受信できなかったとして、該信号を移動端末ＭＳ−Ａへ再送信する。
あるいは、基地局は、移動端末に割当てた固定リソースをデコードし、且つフィードバック情報から移動端末の移動端末識別情報（例、ＳＴＩＤ）をデコードし出した場合、移動端末がＵＬ  Ｐｅｒｓｉｓｔｅｎｔ  Ａ−ＭＡＰ  ＩＥを成功に受信したと理解する。
【００４３】
移動端末ＭＳ−Ａは、すでにＵＬ  Ｐｅｒｓｉｓｔｅｎｔ  Ａ−ＭＡＰ  ＩＥを成功に受信した場合、次のＰＡ１リソース割当ての際に、ＬＲＵ１リソースでデータ情報を送信する。
【００４４】
本実施例において移動端末ＭＳ−ＡがＵＬ  Ｐｅｒｓｉｓｔｅｎｔ  Ａ−ＭＡＰ  ＩＥを成功に受信したと仮定すると、移動端末ＭＳ−Ａは、（Ｋ＋４）フレーム目のサブフォーム６の中のＬＲＵ１リソースで、データ情報を送信することになる。
【００４５】
[実施例２]
本実施例において、Ａ−ＭＡＰメッセージの周期は、１つのサブフレームである。
一つのフレームにＮ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が５つのダウンリンク・サブフレームの中のサブフレーム１、サブフレーム２及びサブフレーム３で送信されるＡ−ＭＡＰ情報に、それぞれアップリンク・サブフレーム６、アップリンク・サブフレーム７、アップリンク・サブフレーム８の関係制御情報が含ませると仮定する。
【００４６】
図２に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａにアップリンク固定リソースＰＡ１（サブフレーム６に含まれる）を割当てる。
割当周期（ＡＰ）は、４フレームである。
図２に示す通り、ＬＲＵは、一つまたは複数の符号及び一つまたは複数のサブキャリアを含む時間領域と周波数領域を持つ二次元構造の一つのリソース割当てユニットである。
【００４７】
ＵＬ  Ｐｅｒｓｉｓｔｅｎｔ  Ａ−ＭＡＰ  ＩＥには、上記の移動端末ＭＳ−Ａに割当てられたアップリンク固定リソースＰＡ１に関する情報の他、（１）フィードバック位置指示情報と、（２）フィードバック情報と、（３）直交または準直交のコード・ワード・シーケンス集合の中の一つのコード・ワード・シーケンスのインデックス情報と、を含むことが好ましい。
【００４８】
（１）フィードバック位置指示情報
フィードバック位置指示情報で指示されたのは、ＰＡ１におけるＬＲＵ１の相対位置情報である。例えば、「０１」がＰＡ１の中の一つ目のＬＲＵ、つまりＬＲＵ１を表す。
あるいは、ＬＲＵ１の位置情報が、アップリンク・リソースにおける実際の位置情報で表すこともできる。例えば、「００００１」が、ＰＡ１ の一番目のＬＲＵ（つまりＬＲＵ１）のアップリンク・リソースにおける位置情報を表す。
【００４９】
（２）フィードバック情報
該実施例において、フィードバック情報は、予め定義されたコード・ワード・シーケンスである。例えば、「１」が、ＵＬ  Ｐｅｒｓｉｓｔｅｎｔ  Ａ−ＭＡＰ  ＩＥを成功に受信したことを表す。
あるいは、フィードバック情報が、移動端末の識別情報（例えば「００１」がＭＳ−Ａを表す）、または移動端末に割当てられたアップリンク固定リソースに関する情報（例「１０」はＰＡ１のＬＲＵ数が２であること、「０１」はＰＡ１の初期位置がＬＲＵ１であること、または「１０」がＰＡ１の終了位置がＬＲＵ２であることを表す）であることもできる。
【００５０】
（３）直交または準直交のコード・ワード・シーケンス集合の中の一つのコード・ワード・シーケンスのインデックス情報
本実施例において、例えば、直交または準直交のコード・ワード・シーケンス集合の中の一つのコード・ワード・シーケンスのインデックス情報が「００１」である。
言い換えると、コード・ワード・シーケンス集合の一番目のシーケンスが、移動端末ＭＳ−Ａに割当てられる。
移動端末ＭＳ−Ａに割当てられたシーケンスをＡｎ＝{a１, a２…aｎ}と仮定する。
【００５１】
移動端末ＭＳ−Ａは、基地局からのアップリンク固定リソース割当て信号ＵＬ  Ｐｅｒｓｉｓｔｅｎｔ  Ａ−ＭＡＰ  ＩＥを受信し、デコードし、そして、それに対してフィードバック操作を行う。
ここのフィードバック操作は、具体的に下記のステップ（１）乃至（２）を含むことが好ましい。
【００５２】
ステップ（１）において、移動端末ＭＳ−Ａが、基地局からのＵＬ  Ｐｅｒｓｉｓｔｅｎｔ  Ａ−ＭＡＰ  ＩＥを受信し、デコードする。
【００５３】
ステップ（２）において、移動端末ＭＳ−Ａは、フィードバック位置指示情報により、フィードバック情報を送信するリソース位置を決め、そして、フィードバック位置指示情報によって指示されたＬＲＵ１で、フィードバック情報（「１」）をコード・ワード・シーケンスＡｎでスペクトラム拡散させて得られたコード・ワード・シーケンスＢｎを送信する。
【００５４】
基地局は、移動端末ＭＳ−Ａに割当てられたＰＡ１のＬＲＵ１から該スペクトラム拡散シーケンスＢｎを獲得する。
既知コード・ワード・シーケンスAｎで、Ｂｎに対して逆ペクトラム拡散を行う。
フィードバック情報「１」を回復できたら、移動端末ＭＳ−ＡがＵＬ  Ｐｅｒｓｉｓｔｅｎｔ  Ａ−ＭＡＰ  ＩＥを成功に受信したと確認する。
そうでなければ、移動端末ＭＳ−ＡがＵＬ  Ｐｅｒｓｉｓｔｅｎｔ  Ａ−ＭＡＰ  ＩＥを成功に受信できなかったとして、次のＵＬ  Ｐｅｒｓｉｓｔｅｎｔ  Ａ−ＭＡＰ  ＩＥを送信する際に、該信号を移動端末ＭＳ−Ａへ再送信する。
【００５５】
移動端末ＭＳ−Ａは、すでにＵＬ  Ｐｅｒｓｉｓｔｅｎｔ  Ａ−ＭＡＰ  ＩＥを成功に受信した場合、次のＰＡ１リソース割当ての際にＬＲＵ１リソースでデータ情報を送信する。
【００５６】
本実施例において、移動端末ＭＳ−ＡがすでにＵＬ  Ｐｅｒｓｉｓｔｅｎｔ  Ａ−ＭＡＰ  ＩＥを成功に受信したと仮定すると、移動端末ＭＳ−Ａは、（Ｋ＋４）フレーム目のサブフレーム６のＬＲＵ１リソースで、データ情報を送信する。
【００５７】
[実施例３]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰメッセージに、それぞれアップリンク・サブフレーム６、アップリンク・サブフレーム７、アップリンク・サブフレーム８の関係制御情報を含むと仮定する。
【００５８】
図２に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａに、アップリンク固定リソースＰＡ１（サブフレーム６に含まれる）を割当てる。
割当周期（ＡＬ  Ｌｏｃａｔｉｏｎ  Ｐｅｒｉｏｄ、ＡＰと略称）は、４フレームである。
【００５９】
ＵＬ  Ｐｅｒｓｉｓｔｅｎｔ  Ａ−ＭＡＰ  ＩＥには、上記の移動端末ＭＳ−Ａに割当てられたアップリンク固定リソースＰＡ１の他に、（１）フィードバック・イネーブル指示情報をさらに含むことが好ましい。
【００６０】
（１）フィードバック・イネーブル指示情報
フィードバック・イネーブル指示情報は、移動端末ＭＳ−Ａから前記基地局へのフィードバック情報の送信が要求されるかどうかを指示するものである。
本実施例において、ビット「１」が、移動端末ＭＳ−Ａから前記基地局へのフィードバック情報の送信が要求されることを表し、ビット「０」が、移動端末ＭＳ−Ａから前記基地局へのフィードバック情報の送信が要求されないことを表す。
【００６１】
移動端末ＭＳ−Ａが、基地局からのアップリンク固定リソース割当て信号ＵＬ  Ｐｅｒｓｉｓｔｅｎｔ  Ａ−ＭＡＰ  ＩＥを受信し、デコードすることは、具体的に、下記のステップ（１）乃至（２）を含む。
【００６２】
ステップ（１）において、移動端末ＭＳ−Ａが、基地局からのＵＬ  Ｐｅｒｓｉｓｔｅｎｔ  Ａ−ＭＡＰ  ＩＥを受信し、デコードする。
【００６３】
ステップ（２）において、移動端末ＭＳ−Ａが、フィードバック・イネーブル指示情報を受信し、前記基地局へフィードバック情報を送信する必要があるかどうかを決める。
本実施例において、フィードバック・イネーブル指示情報が「１」である場合、移動端末ＭＳ−Ａは、前記基地局へ、標準デフォルト配置のリソースまたは信号（表１に示すとおり、ＵＬ  Ｐｅｒｓｉｓｔｅｎｔ  Ａ−ＭＡＰ  ＩＥを介して移動端末ＭＳ−Ａにフィードバック情報を送信するリソースを知らせる）を介し、移動端末ＭＳ−Ａへ送信されたリソースで、フィードバック情報を送信する。
また、フィードバック・イネーブル指示情報が「０」である場合は、移動端末ＭＳ−Ａは、前記基地局にフィードバック情報を送信しない。
【００６４】
【表１】
0005668061.tif 000002
【００６５】
本実施例に記述されるのは、ＵＬ  Ｐｅｒｓｉｓｔｅｎｔ  Ａ−ＭＡＰ  ＩＥが移動端末ＭＳ−Ａにアップリンク固定リソースを割当てることである。
同様に、本実施例に記述される方法は、ＵＬ  Ｐｅｒｓｉｓｔｅｎｔ  Ａ−ＭＡＰ  ＩＥが移動端末ＭＳ−Ａに割当てたアップリンク固定リソースを取り除くことにも適用できる。
【００６６】
以下の実施例４から実施例６において、基地局が、ダウンリンク・チャネルを介しアップリンク固定リソース割当て信号を送信して、移動端末へアップリンク固定リソースの割当て情報を送信する。
その中、アップリンク固定リソース割当て信号は、移動端末に割当てられたアップリンク固定リソースの情報を含む。
移動端末は、基地局からのアップリンク固定リソース割当て信号を成功に受信した後、フィードバックを送信する。
【００６７】
[実施例４]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰメッセージに、それぞれアップリンク・サブフレーム６、アップリンク・サブフレーム７、アップリンク・サブフレーム８の関係制御情報を含ませると仮定する。
【００６８】
図２に示す通り、基地局は、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａに、アップリンク固定リソースＰＡ１（サブフレーム６に含まれる）を割当てる。
割当周期（ＡＰ）は、４フレームである。
図２に示す通り、ＬＲＵは、一つまたは複数の符号及び一つまたは複数のサブキャリアを含む時間領域と周波数領域を持つ二次元構造の一つのリソース割当てユニットである。
【００６９】
ＵＬ  Ｐｅｒｓｉｓｔｅｎｔ  Ａ−ＭＡＰ  ＩＥには、上記の移動端末ＭＳ−Ａに割当てられたアップリンク固定リソースＰＡ１に関する情報が含まれる。
【００７０】
移動端末ＭＳ−Ａが、基地局からのＵＬ  Ｐｅｒｓｉｓｔｅｎｔ  Ａ−ＭＡＰ  ＩＥを成功に受信した後、フィードバック操作を実行する。
具体的には、予定リソースでフィードバック情報を送信する。
ここでいう予定リソースは、
アップリンク固定リソース割当て信号によって移動端末に割当てられたアップリンク固定リソースの位置情報に従ってマッピング又は計算して得られたリソースと、
移動端末に割当てられた共通フィードバック・リソースの全部又は一部のリソースと、
アップリンク固定リソース割当て信号から前記移動端末に割当てたアップリンク固定リソースの全部または一部リソースと、
の中の一つを含む。
その中、予定リソースが、アップリンク固定リソース割当て信号から移動端末に割当てたアップ固定リソースの全部または一部のリソースである場合、予定リソースのアップリンク固定リソースにおける位置は、デフォルト設定である。
例えば標準を介し、デフォルト設定をすることができる。
【００７１】
上記の記述に基づき、ここでいうフィードバック操作は、具体的に下記ステップ（１）乃至（３）を含むことが好ましい。
【００７２】
ステップ（１）において、ＵＬ  Ｐｅｒｓｉｓｔｅｎｔ  Ａ−ＭＡＰ  ＩＥフィードバック情報を送信するリソースの位置情報を決める。
一つの実施形態として、該リソースの位置情報が標準配置として移動端末と基地局に記憶される。
本実施例において、移動端末に割当てられた固定リソースの中の一番目のＬＲＵ、即ちＬＲＵ１に位置するリソースが、フィードバック情報を送信するリソースであることと仮定する。
【００７３】
ステップ（２）において、フィードバック情報の内容を決める。
本実施例において、フィードバック情報の内容が、標準デフォルト設定に予め定義するコード・ワード・シーケンスと設定されると仮定する。
例えば、「１」が、ＵＬ  Ｐｅｒｓｉｓｔｅｎｔ  Ａ−ＭＡＰ  ＩＥを成功に受信できたことを表す。
コード・ワード・シーケンスは、一組の直交のコード・ワード・シーケンス集合からのもの、または一組の準直交のコード・ワード・シーケンス集合からのものが好ましい。
【００７４】
該フィードバック情報が、移動端末の識別情報（例えば、「００１」がＭＳ−Ａを表す）であることもできる。
あるいは、該フィードバック情報が、移動端末のアップリンク固定リソースに係わるメッセージ（例えば、「１０」はＰＡ１のＬＲＵ数が２であること、「０１」はＰＡ１の初期位置がＬＲＵ１であること、または「１０」はＰＡ１の終了位置がＬＲＵ２であることを表す）であることもできる。
【００７５】
ステップ（３）において、移動端末ＭＳ−Ａがフィードバック・リソースＬＲＵ１でフィードバック情報（「１」）を送信することを含むことが好ましい。
【００７６】
基地局が、移動端末からのフィードバック情報を受信する。
基地局は、移動端末ＭＳ−Ａに割当てられたＰＡ１のＬＲＵ１でフィードバック情報「１」を獲得した場合、移動端末ＭＳ−ＡがＵＬ  Ｐｅｒｓｉｓｔｅｎｔ  Ａ−ＭＡＰ  ＩＥを成功に受信したと確認する。
そうでなければ、移動端末ＭＳ−ＡがＵＬ  Ｐｅｒｓｉｓｔｅｎｔ  Ａ−ＭＡＰ  ＩＥを成功に受信しなかったとして、ＵＬ  Ｐｅｒｓｉｓｔｅｎｔ  Ａ−ＭＡＰ  ＩＥ信号を移動端末ＭＳ−Ａへ再送信することになる。
【００７７】
移動端末ＭＳ−Ａは、すでにＵＬ  Ｐｅｒｓｉｓｔｅｎｔ  Ａ−ＭＡＰ  ＩＥを成功に受信した場合、次のＰＡ１リソース割当ての際にＬＲＵ１リソースでデータ情報を送信する。
【００７８】
本実施例において、移動端末ＭＳ−ＡがすでにＵＬ  Ｐｅｒｓｉｓｔｅｎｔ  Ａ−ＭＡＰ  ＩＥを成功に受信したと仮定する。
移動端末ＭＳ−Ａは、（Ｋ＋４）フレーム目のサブフレーム６のＬＲＵ１リソースでデータ情報を送信する。
【００７９】
[実施例５]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰ情報に、それぞれアップリンク・サブフレーム６、アップリンク・サブフレーム７、アップリンク・サブフレーム８の関係制御情報を含ませると仮定する。
【００８０】
図２に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａに、アップリンク固定リソースＰＡ１（サブフレーム６に含まれる）を割当てる。
割当周期（ＡＰ）は、４フレームである。
図２に示す通り、ＬＲＵは、一つまたは複数の符号及び一つまたは複数のサブキャリアを含む時間領域と周波数領域を持つ二次元構造の一つのリソース割当てユニットである。
【００８１】
ＵＬ  Ｐｅｒｓｉｓｔｅｎｔ  Ａ−ＭＡＰ  ＩＥには、上記の移動端末ＭＳ−Ａに割当てられたアップリンク固定リソースＰＡ１に係わる情報が含まれている。
【００８２】
移動端末ＭＳ−Ａは、基地局からのＵＬ  Ｐｅｒｓｉｓｔｅｎｔ  Ａ−ＭＡＰ  ＩＥを成功に受信した後、フィードバック操作を実行する。
具体的には、下記ステップ（１）乃至（３）を含む。
【００８３】
ステップ（１）において、ＵＬ  Ｐｅｒｓｉｓｔｅｎｔ  Ａ−ＭＡＰ  ＩＥのフィードバック情報を送信するリソースの位置情報を決める。
一つの実施形態として、該リソースの位置情報が、標準配置として移動端末と基地局に記憶される。
本実施例において、該リソースの位置が例えば、Ｆｅｅｄｂａｃｋ  Ｌｏｃａｔｉｏｎ＝（ＰＡ Ｌｏｃａｔｉｏｎ）のような一種のマッピング・ルールまたは公式で計算して得られると仮定する。
その中、ＰＡ Ｌｏｃａｔｉｏｎは、移動端末に割当てられた固定リソースの位置情報である。
Ｆｅｅｄｂａｃｋ  Ｌｏｃａｔｉｏｎは、ＵＬ  Ｐｅｒｓｉｓｔｅｎｔ  Ａ−ＭＡＰ  ＩＥフィードバック情報を送信するリソースの位置の情報である。
ｆは、マッピング方法または計算公式を表す。
ｆを介して得られたフィードバック・リソースの位置は、ＰＡ Ｌｏｃａｔｉｏｎの内部にあってもよいし、ＰＡ  Ｌｏｃａｔｉｏｎの外部にあってもよい。
本実施例において、Ｆｅｅｄｂａｃｋ  Ｌｏｃａｔｉｏｎ＝（ＰＡ Ｌｏｃａｔｉｏｎ）を介して獲得したフィードバックするためのリソースは、ＬＲＵ１であると仮定する。
ＬＲＵ１の位置の情報は、図３に示す通り、ＬＲＵ１がＰＡ１固定リソースの外部にある。
【００８４】
ステップ（２）において、フィードバック情報の内容を定める。
本実施例において、フィードバック情報の内容が、標準デフォルト設定に予め定義するコード・ワード・シーケンスと設定されると仮定する。
例えば、「１」が、ＵＬ  Ｐｅｒｓｉｓｔｅｎｔ  Ａ−ＭＡＰ  ＩＥを成功に受信できたことを表す。
コード・ワード・シーケンスは、一組の直交のコード・ワード・シーケンス集合からのもの、または一組の準直交のコード・ワード・シーケンス集合からのものが好ましい。
【００８５】
あるいは、ここでいうフィードバック情報が、移動端末の識別情報（例えば、「００１」がＭＳ−Ａを表す）であることもできる。
あるいは、該フィードバック情報が、移動端末のアップリンク固定リソースの関係情報（例えば、「１０」はＰＡ１のＬＲＵ数が２であること、「０１」はＰＡ１の初期位置がＬＲＵ１であること、または「１０」はＰＡ１の終了位置がＬＲＵ２であることを表す）であることもできる。
【００８６】
ステップ（３）において、移動端末ＭＳ−Ａが、フィードバック・リソースＬＲＵ１でフィードバック情報（「１」）を送信することを含む。
【００８７】
基地局は、移動端末からのフィードバック情報を受信する。
基地局は、移動端末ＭＳ−Ａに割当てられたＰＡ１のＬＲＵ１でフィードバック情報「１」を獲得した場合、移動端末ＭＳ−Ａが成功にＵＬ  Ｐｅｒｓｉｓｔｅｎｔ  Ａ−ＭＡＰ  ＩＥを受信したと確認する。
そうでなければ、移動端末ＭＳ−Ａが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ａへ再送信する。
【００８８】
移動端末ＭＳ−Ａは、すでにＵＬ  Ｐｅｒｓｉｓｔｅｎｔ  Ａ−ＭＡＰ  ＩＥを成功に受信した場合、次のＰＡ１リソース使用の際にＬＲＵ１リソースでデータ情報を送信する。
【００８９】
本実施例において、移動端末ＭＳ−ＡがすでにＵＬ  Ｐｅｒｓｉｓｔｅｎｔ  Ａ−ＭＡＰ  ＩＥを成功に受信したと仮定する。
移動端末ＭＳ−Ａは、（ｋ＋４）フレーム目のサブフレーム６のＬＲＵ１リソースで、データ情報を送信する。
【００９０】
[実施例６]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰ情報に、それぞれアップリンク・サブフレーム６、アップリンク・サブフレーム７、アップリンク・サブフレーム８の関係制御情報を含ませると仮定する。
【００９１】
図３に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａに、アップリンク固定リソースＰＡ１（サブフレーム６に含まれる）を割当てる。
割当周期（ＡＰ）は、４フレームである。
図３に示す通り、ＬＲＵは、一つまたは複数の符号及び一つまたは複数のサブキャリアを含む時間領域と周波数領域を持つ二次元構造の一つのリソース割当てユニットである。
【００９２】
ＵＬ  Ｐｅｒｓｉｓｔｅｎｔ  Ａ−ＭＡＰ  ＩＥには、上記の移動端末ＭＳ−Ａに割当てられたアップリンク固定リソースＰＡ１に係わる情報が含まれている。
【００９３】
移動端末ＭＳ−Ａが、ＵＬ  Ｐｅｒｓｉｓｔｅｎｔ  Ａ−ＭＡＰ  ＩＥを成功に受信した後、フィードバック操作を実行する。
ここでいうフィードバック操作は、具体的には下記ステップ（１）乃至（３）を含むことが好ましい。
【００９４】
ステップ（１）において、ＵＬ  Ｐｅｒｓｉｓｔｅｎｔ  Ａ−ＭＡＰ  ＩＥフィードバック情報を送信するリソースの位置情報を決める。
一つの実施形態として、該リソースの位置情報が標準配置として移動端末と基地局に記憶される。
本実施例において、該リソースの位置が例えば、Ｆｅｅｄｂａｃｋ  Ｌｏｃａｔｉｏｎ＝（ＰＡ  Ｌｏｃａｔｉｏｎ）のような一種のマッピング・ルールまたは公式で計算して得られると仮定する。
その中、ＰＡ  Ｌｏｃａｔｉｏｎは、移動端末に割当てられた固定リソースの位置情報である。
Ｆｅｅｄｂａｃｋ  Ｌｏｃａｔｉｏｎは、ＵＬ  Ｐｅｒｓｉｓｔｅｎｔ  Ａ−ＭＡＰ  ＩＥフィードバック情報を送信するリソースの位置の情報である。
ｆは、一種のマッピング方法または計算公式を表す。
ｆを介して得られたフィードバック・リソースの位置は、ＰＡ  Ｌｏｃａｔｉｏｎの内部にあってもよいし、ＰＡ  Ｌｏｃａｔｉｏｎの外部にあってもよい。
本実施例において、Ｆｅｅｄｂａｃｋ  Ｌｏｃａｔｉｏｎ＝（ＰＡ  Ｌｏｃａｔｉｏｎ）を介して獲得したフィードバックするためのリソースは、ＬＲＵ１であると仮定する。
ＬＲＵ１の位置の情報は、図３に示す通り、ＬＲＵ１がＰＡ１固定リソースの外部にある。
【００９５】
ステップ（２）において、フィードバック情報の内容を決める。
本実施例において、フィードバック情報の内容が、標準デフォルト設定に予め定義するコード・ワード・シーケンスと設定されると仮定する。
例えば「１」が、ＵＬ  Ｐｅｒｓｉｓｔｅｎｔ  Ａ−ＭＡＰ  ＩＥを成功に受信したことを表す。該コード・ワード・シーケンスを、直交または準直交のコード・ワード・シーケンスでスペクトラム拡散させた後で送信する。
本実施例において、移動端末ＭＳ−Ａの選んだ直交または準直交のコード・ワード・シーケンスがＡｎ＝{a１, a２…aｎ}と仮定する。
移動端末ＭＳ−Ａ は、ＬＲＵ１で、フィードバック情報（「１」）をコード・ワード・シーケンスＡｎでスペクトラム拡散して得られたコード・ワード・シーケンスＢｎを、送信する。
【００９６】
ステップ（３）において、移動端末ＭＳ−Ａが、フィードバック・リソースＬＲＵ１でフィードバック情報Ｂｎを送信することを含むことが好ましい。
【００９７】
基地局は、移動端末からのフィードバック情報を受信する。
基地局は、移動端末ＭＳ−Ａに割当てられたＬＲＵ１におけるフィードバック情報を、既知のコード・ワード・シーケンスＡｎで逆スペクトラム拡散させて、特定情報「１」を回復した場合、移動端末ＭＳ−Ａが成功にＵＬ  Ｐｅｒｓｉｓｔｅｎｔ  Ａ−ＭＡＰ  ＩＥを受信したと確認する。
そうでなければ、移動端末ＭＳ−Ａが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ａへ再送信する。
【００９８】
移動端末ＭＳ−ＡがすでにＵＬ  Ｐｅｒｓｉｓｔｅｎｔ  Ａ−ＭＡＰ  ＩＥを成功に受信した場合、基地局は、ＬＲＵ１リソースを解放する。
該リソースを、その他の操作に割当てる。
【００９９】
以上記述したのは、一つの移動端末にリソースを割当てる場合の本発明の実施例による実現過程である。
本発明は以上に限られない。
以下の実施例７乃至実施例１０は、複数の移動端末にアップリンク固定リソースを割当てることに関する処理である。
【０１００】
[実施例７]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰ情報に、それぞれアップリンク・サブフレーム６、アップリンク・サブフレーム７、アップリンク・サブフレーム８の関係制御情報を含ませると仮定する。
【０１０１】
図４に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａ、移動端末ＭＳ−Ｂ、移動端末ＭＳ−Ｃに、アップリンク固定リソースＰＡ１（サブフレーム６に含まれ、割当周期（ＡＰ）は４フレームである）、ＰＡ２（サブフレーム６に含まれ、割当周期（ＡＰ）は４フレームである）、ＰＡ３（サブフレーム６に含まれ、割当周期（ＡＰ）は４フレームである）を割当てる。
図４に示す通り、ＬＲＵは、一つまたは複数の符号及び一つまたは複数のサブキャリアを含む時間領域と周波数領域を持つ二次元構造の一つのリソース割当てユニットである。
【０１０２】
ＵＬ  Ｐｅｒｓｉｓｔｅｎｔ  Ａ−ＭＡＰ  ＩＥは、上記の移動端末ＭＳ−Ａ、移動端末ＭＳ−Ｂ、移動端末ＭＳ−Ｃに割当てられたアップリンク固定リソースＰＡ１、ＰＡ２、ＰＡ３の関係情報と、移動端末ＭＳ−Ａ、移動端末ＭＳ−Ｂ、移動端末ＭＳ−Ｃに割当てられた共通フィードバック・リソースＰＡ−Ｃの位置情報とを含む。
【０１０３】
移動端末ＭＳ−Ａ、移動端末ＭＳ−Ｂ、移動端末ＭＳ−Ｃは、基地局からのＵＬ  Ｐｅｒｓｉｓｔｅｎｔ  Ａ−ＭＡＰ  ＩＥを成功に受信した後、フィードバック操作を実行する。
具体的には、下記ステップ（１）乃至（３）を含むことが好ましい。
【０１０４】
ステップ（１）において、ＵＬ  Ｐｅｒｓｉｓｔｅｎｔ  Ａ−ＭＡＰ  ＩＥフィードバック情報を送信するリソースについての、共通フィードバック・リソースＰＡ−Ｃにおける位置情報を決める。
一つの実施形態として、該リソースの位置情報が、標準配置として移動端末と基地局に記憶される。
本実施例において、該リソースの位置は、例えば、Ｆｅｅｄｂａｃｋ  Ｌｏｃａｔｉｏｎ＝ｆ（移動端末インデックス情報）のような一種のマッピング・ルールまたは公式で計算して得られると仮定する。
その中、Ｆｅｅｄｂａｃｋ  Ｌｏｃａｔｉｏｎは、ＵＬ  Ｐｅｒｓｉｓｔｅｎｔ  Ａ−ＭＡＰ  ＩＥフィードバック情報を送信するリソースの位置の情報である。
ｆは、あるマッピング方法または計算公式を表す。
ｆを介して各移動端末のフィードバック・リソースの位置情報を獲得する。
本実施例において、図４に示す通り、移動端末ＭＳ−Ａ、移動端末ＭＳ−Ｂ、移動端末ＭＳ−ＣがＦｅｅｄｂａｃｋ  Ｌｏｃａｔｉｏｎ＝ｆ（移動端末インデックス情報）を介して獲得したフィードバック用リソースは、それぞれ一番目ＬＲＵ、二番目ＬＲＵ、三番目ＬＲＵであると仮定し、それぞれリソースＬＲＵ１、ＬＲＵ２、ＬＲＵ３を指示する。
【０１０５】
ステップ（２）において、フィードバック情報の内容を定める。
本実施例において、フィードバック情報の内容が、標準デフォルト設定に予め定義するコード・ワード・シーケンスと設定されることを仮定する。
例えば、「１」が、ＵＬ  Ｐｅｒｓｉｓｔｅｎｔ  Ａ−ＭＡＰ  ＩＥを成功に受信したことを表す。
コード・ワード・シーケンスは、一組の直交のコード・ワード・シーケンス集合からのもの、または一組の準直交のコード・ワード・シーケンス集合からのものが好ましい。
【０１０６】
該フィードバック情報が、移動端末の識別情報であることができる。
例えば、「００１」がＭＳ−Ａ、「０１０」がＭＳ−Ｂ、「０１１」がＭＳ−Ｃを表す。
あるいは、該フィードバック情報が、移動端末に割当てられたアップリンク固定リソースの関係情報、例えば、固定リソースの初期位置情報、終了位置情報、リソース大きさ情報、またはその他の該固定リソースを表す可能な関係情報であってもよい。
【０１０７】
ステップ（３）において、移動端末ＭＳ−Ａがフィードバック・リソースＬＲＵ１でフィードバック情報（「１」）を、移動端末ＭＳ−Ｂがフィードバック・リソースＬＲＵ２でフィードバック情報（「１」）を、移動端末ＭＳ−Ｃがフィードバック・リソースＬＲＵ３でフィードバック情報（「１」）を、送信する。
【０１０８】
基地局は、移動端末からのフィードバック情報を受信する。
基地局は、移動端末ＭＳ−Ａに割当てられたＰＡ−ＣのＬＲＵ１でフィードバック情報「１」を獲得した場合、移動端末ＭＳ−Ａが成功にＵＬ  Ｐｅｒｓｉｓｔｅｎｔ  Ａ−ＭＡＰ  ＩＥを受信したと確認する。
そうでなければ、移動端末ＭＳ−Ａが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ａへ別に再送信する。
基地局は、移動端末ＭＳ−Ｂに割当てられたＰＡ−ＣのＬＲＵ２でフィードバック情報「１」を獲得した場合、移動端末ＭＳ−Ｂが成功にＵＬ  Ｐｅｒｓｉｓｔｅｎｔ  Ａ−ＭＡＰ  ＩＥを受信したと確認する。
そうでなければ、移動端末ＭＳ−Ｂが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｂへ別に再送信する。
基地局は、移動端末ＭＳ−Ｃに割当てられたＰＡ−ＣのＬＲＵ３でフィードバック情報「１」を獲得した場合、移動端末ＭＳ−Ｃが成功にＵＬ  Ｐｅｒｓｉｓｔｅｎｔ  Ａ−ＭＡＰ  ＩＥを受信したと確認する。
そうでなければ、移動端末ＭＳ−Ｃが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｃに別に再送信する。
【０１０９】
移動端末ＭＳ−ＡがすでにＵＬ  Ｐｅｒｓｉｓｔｅｎｔ  Ａ−ＭＡＰ  ＩＥを成功に受信した場合、基地局がＬＲＵ１リソースを解放し、該リソースをその他の操作に割当てる。同様に、移動端末ＭＳ−ＢがすでにＵＬ  Ｐｅｒｓｉｓｔｅｎｔ  Ａ−ＭＡＰ  ＩＥを成功
に受信した場合、基地局がＬＲＵ２リソースを解放し、該リソースをその他の操作に割当てる。
移動端末ＭＳ−ＣがすでにＵＬ  Ｐｅｒｓｉｓｔｅｎｔ  Ａ−ＭＡＰ  ＩＥを成功に受信した場合、基地局がＬＲＵ３リソースを解放し、該リソースをその他の操作に割当てる。
【０１１０】
[実施例８]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足することを仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰメッセージに、それぞれアップリンク・サブフレーム６、アップリンク・サブフレーム７、アップリンク・サブフレーム８の関係制御情報を含ませると仮定する。
【０１１１】
図４に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａ、移動端末ＭＳ−Ｂ、移動端末ＭＳ−Ｃに、アップリンク固定リソースＰＡ１（サブフレーム６に含まれ、割当周期（ＡＰ）は４フレームである）、ＰＡ２（サブフレーム６に含まれ、割当周期（ＡＰ）は４フレームである）、ＰＡ３（サブフレーム６に含まれ、割当周期（ＡＰ）は４フレームである）を割当てる。
図４に示す通り、ＬＲＵは、一つまたは複数の符号及び一つまたは複数のサブキャリアを含む時間領域と周波数領域を持つ二次元構造の一つのリソース割当てユニットである。
【０１１２】
ＵＬ  Ｐｅｒｓｉｓｔｅｎｔ  Ａ−ＭＡＰ  ＩＥには、上記の移動端末ＭＳ−Ａ、移動端末ＭＳ−Ｂ、移動端末ＭＳ−Ｃに割当てられたアップリンク固定リソースＰＡ１、ＰＡ２、ＰＡ３の関係情報と、移動端末ＭＳ−Ａ、移動端末ＭＳ−Ｂ、移動端末ＭＳ−Ｃに割当てられた共通フィードバック・リソースＰＡ−Ｃの中の具体的なリソースの位置情報とを含む。
【０１１３】
移動端末ＭＳ−Ａ、移動端末ＭＳ−Ｂ、移動端末ＭＳ−Ｃは、基地局からのＵＬ  Ｐｅｒｓｉｓｔｅｎｔ  Ａ−ＭＡＰ  ＩＥを成功に受信した後、フィードバック操作を実行する。
具体的には、下記ステップ（１）乃至（３）を含むことが好ましい。
【０１１４】
ステップ（１）において、ＵＬ  Ｐｅｒｓｉｓｔｅｎｔ  Ａ−ＭＡＰ  ＩＥを復号し、ＵＬ  Ｐｅｒｓｉｓｔｅｎｔ  Ａ−ＭＡＰ  ＩＥフィードバック情報を送信するリソースの共通フィードバック・リソースＰＡ−Ｃにおける位置情報を定める。
本実施例において、図４に示す通り、移動端末ＭＳ−Ａ、移動端末ＭＳ−Ｂ、移動端末ＭＳ−Ｃのフィードバック用リソースが、それぞれＰＡ−Ｃの中のリソースユニットＬＲＵ１、ＬＲＵ２、ＬＲＵ３であると仮定する。
【０１１５】
ステップ（２）において、フィードバック情報の内容を定める。
本実施例において、フィードバック情報の内容が、標準デフォルト設定に予め定義するコード・ワード・シーケンスと設定されると仮定する。
例えば、「１」が、ＵＬ  Ｐｅｒｓｉｓｔｅｎｔ  Ａ−ＭＡＰ  ＩＥを成功に受信したことを表す。
コード・ワード・シーケンスは、一組の直交のコード・ワード・シーケンス集合からのもの、または一組の準直交のコード・ワード・シーケンス集合からのものが好ましい。
【０１１６】
あるいは、ここでいうフィードバック情報は、移動端末の識別情報であることができる。
例えば、「００１」がＭＳ−Ａ、「０１０」がＭＳ−Ｂ、「０１１」がＭＳ−Ｃを表す。
あるいは、ここでいうフィードバック情報は、移動端末に割当てられたアップリンク固定リソースの関係情報、例えば、固定リソースの初期位置情報、終了位置情報、リソース大きさ情報、またはその他の該固定リソースを表す可能な関係情報であってもよい。
【０１１７】
ステップ（３）において、移動端末ＭＳ−Ａがフィードバック・リソースＬＲＵ１でフィードバック情報（「１」）を、移動端末ＭＳ−Ｂがフィードバック・リソースＬＲＵ２でフィードバック情報（「１」）を、移動端末ＭＳ−Ｃがフィードバック・リソースＬＲＵ３でフィードバック情報（「１」）を、送信する。
【０１１８】
基地局は、移動端末からのフィードバック情報を受信する。
基地局は、移動端末ＭＳ−Ａに割当てられたＰＡ−ＣのＬＲＵ１でフィードバック情報「１」を獲得した場合、移動端末ＭＳ−Ａが成功にＵＬ  Ｐｅｒｓｉｓｔｅｎｔ  Ａ−ＭＡＰ  ＩＥを受信したと確認する。
そうでなければ、移動端末ＭＳ−Ａが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ａへ別に再送信する。
基地局は、移動端末ＭＳ−Ｂに割当てられたＰＡ−ＣのＬＲＵ２でフィードバック情報「１」を獲得した場合、移動端末ＭＳ−Ｂが成功にＵＬ  Ｐｅｒｓｉｓｔｅｎｔ  Ａ−ＭＡＰ  ＩＥを受信したと確認する。
そうでなければ、移動端末ＭＳ−Ｂが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｂへ別に再送信する。
基地局は、移動端末ＭＳ−Ｃに割当てられたＰＡ−ＣのＬＲＵ３でフィードバック情報「１」を獲得した場合、移動端末ＭＳ−Ｃが成功にＵＬ  Ｐｅｒｓｉｓｔｅｎｔ  Ａ−ＭＡＰ  ＩＥを受信したと確認する。
そうでなければ、移動端末ＭＳ−Ｃが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｃへ別に再送信する。
【０１１９】
移動端末ＭＳ−ＡがすでにＵＬ  Ｐｅｒｓｉｓｔｅｎｔ  Ａ−ＭＡＰ  ＩＥを成功に受信した場合、基地局は、ＬＲＵ１リソースを解放し、該リソースをその他の操作に割当てる。
同様に、移動端末ＭＳ−ＢがすでにＵＬ  Ｐｅｒｓｉｓｔｅｎｔ  Ａ−ＭＡＰ  ＩＥを成功に受信した場合、基地局は、ＬＲＵ２リソースを解放し、該リソースをその他の操作に割当てる。
移動端末ＭＳ−ＣがすでにＵＬ  Ｐｅｒｓｉｓｔｅｎｔ  Ａ−ＭＡＰ  ＩＥを成功に受信した場合、基地局は、ＬＲＵ３リソースを解放し、該リソースをその他の操作に割当てる。
【０１２０】
[実施例９]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるA‐ＭＡＰ情報に、それぞれアップリンク・サブフレーム６、アップリンク・サブフレーム７、アップリンク・サブフレーム８の関係制御情報を含ませると仮定する。
【０１２１】
図５に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａ、移動端末ＭＳ−Ｂ、移動端末ＭＳ−Ｃに、アップリンク固定リソースＰＡ１（サブフレーム６に含まれ、割当周期（ＡＰ）は４フレームである）、ＰＡ２（サブフレーム６に含まれ、割当周期（ＡＰ）は４フレームである）、ＰＡ３（サブフレーム６に含まれ、割当周期（ＡＰ）は４フレームである）を割当てる。
図５に示す通り、ＬＲＵは、一つまたは複数の符号及び一つまたは複数のサブキャリアを含む時間領域と周波数領域を持つ二次元構造の一つのリソース割当てユニットである。
【０１２２】
ＵＬ  Ｐｅｒｓｉｓｔｅｎｔ  Ａ−ＭＡＰ  ＩＥには、上記の移動端末ＭＳ−Ａ、移動端末ＭＳ−Ｂ、移動端末ＭＳ−Ｃに割当てたアップリンク固定リソースＰＡ１、ＰＡ２、ＰＡ３の関係情報と、移動端末ＭＳ−Ａ、移動端末ＭＳ−Ｂ、移動端末ＭＳ−Ｃに割当てた共通フィードバック・リソースＰＡ−Ｃの位置情報とが含まれている。
【０１２３】
移動端末ＭＳ−Ａ、移動端末ＭＳ−Ｂ、移動端末ＭＳ−Ｃは、基地局からのＵＬ  Ｐｅｒｓｉｓｔｅｎｔ  Ａ−ＭＡＰ  ＩＥを成功に受信した後、フィードバック操作を実行する。
具体的は、下記ステップ（１）乃至（３）を含むことが好ましい。
【０１２４】
ステップ（１）において、ＵＬ  Ｐｅｒｓｉｓｔｅｎｔ  Ａ−ＭＡＰ  ＩＥフィードバック情報を送信するリソースの共通フィードバック・リソースＰＡ−Ｃにおける位置情報を定める。
一つの実施形態として、該リソースの位置の情報が標準配置として移動端末と基地局に記憶される。
本実施例において、例えば、Ｆｅｅｄｂａｃｋ  Ｌｏｃａｔｉｏｎ＝ｆ（移動端末インデックス情報）のようなある一種のマッピング・ルールまたは公式によって、該リソースの位置を計算して獲得すると仮定する。
その中、Ｆｅｅｄｂａｃｋ  Ｌｏｃａｔｉｏｎは、ＵＬ  Ｐｅｒｓｉｓｔｅｎｔ  Ａ−ＭＡＰ  ＩＥフィードバック情報を送信するリソースの位置の情報である。
ｆは、あるマッピング方法または計算公式を表す。
ｆを介して各移動端末のフィードバック・リソースの位置情報を獲得する。
本実施例において、移動端末ＭＳ−Ａ、移動端末ＭＳ−Ｂ、移動端末ＭＳ−Ｃは、Ｆｅｅｄｂａｃｋ  Ｌｏｃａｔｉｏｎ＝ｆ（移動端末インデックス情報）を介して獲得したフィードバック用リソースは全て一番目ＬＲＵであると仮定する。図５に示す通り、リソースＰＡ−Ｃに対応するリソースがＬＲＵ１となる。
【０１２５】
ステップ（２）において、フィードバック情報の内容を定める。
本実施例において、フィードバック情報の内容が、標準デフォルト設定に予め定義するコード・ワード・シーケンスと設定されると仮定する。
例えば、「１」が、ＵＬ  Ｐｅｒｓｉｓｔｅｎｔ  Ａ−ＭＡＰ  ＩＥを成功に受信したことを表す。
コード・ワード・シーケンスは、一組の直交のコード・ワード・シーケンス集合からのもの、または一組の準直交のコード・ワード・シーケンス集合からのものが好ましい。
【０１２６】
あるいは、ここでいうフィードバック情報が、移動端末の識別情報であることができる。
例えば、「００１」がＭＳ−Ａ、「０１０」がＭＳ−Ｂ、「０１１」がＭＳ−Ｃを表す。
あるいは、ここでいうフィードバック情報が、移動端末に割当てられたアップリンク固定リソースの関係情報、例えば、固定リソースの初期位置情報、終了位置情報、リソース大きさ情報、またはその他の該固定リソースを表す可能な関係情報であってもよい。
【０１２７】
ステップ（３）において、移動端末ＭＳ−Ａが、フィードバック・リソースＬＲＵ１で、フィードバック情報（「１」）をコード・ワード・シーケンスＡｎ１でスペクトラム拡散させて得られたコード・ワード・シーケンスＢｎ１を送信する。
その中、Ａｎ１が、一組の直交または準直交のコード・ワード・シーケンス集合から移動端末ＭＳ−Ａに割当てた一つの直交または準直交のコード・ワード・シーケンスである。
同様に、移動端末ＭＳ−Ｂが、フィードバック・リソースＬＲＵ１で、フィードバック情報（「１」）をコード・ワード・シーケンスＡｎ２でスペクトラム拡散させて得られたコード・ワード・シーケンスＢｎ２を送信する。
移動端末ＭＳ−Ｃが、フィードバック・リソースＬＲＵ１で、フィードバック情報（「１」）をコード・ワード・シーケンスＡｎ３でスペクトラム拡散させて得られるコード・ワード・シーケンスＢｎ３を送信する。
【０１２８】
その中、基地局は、各移動端末に割当てたコード・ワード・シーケンスＡｎ１Ａｎ２Ａｎ３を知っている。
基地局は、移動端末からのフィードバック情報を受信する。
基地局が、移動端末ＭＳ−Ａに割当てられたＰＡ−ＣのＬＲＵ１からＡｎ１で逆スペクトラム拡散することを介しフィードバック情報「１」を 獲得した場合、移動端末ＭＳ−Ａが成功にＵＬ  Ｐｅｒｓｉｓｔｅｎｔ  Ａ−ＭＡＰ  ＩＥを受信したと確認する。
そうでなければ、移動端末ＭＳ−Ａが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ａへ別に再送信する。
基地局は、移動端末ＭＳ−Ｂに割当てたＰＡ−ＣのＬＲＵ１からＡｎ２で逆スペクトラム拡散することを介しフィードバック情報「１」を獲得した場合、移動端末ＭＳ−Ｂが成功にＵＬ  Ｐｅｒｓｉｓｔｅｎｔ  Ａ−ＭＡＰ  ＩＥを受信したと確認する。
そうでなければ、移動端末ＭＳ−Ｂが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｂへ別に再送信する。
基地局は、移動端末ＭＳ−Ｃに割当てたＰＡ−ＣのＬＲＵ１からＡｎ３で逆スペクトラム拡散することを介しフィードバック情報「１」を獲得した場合、移動端末ＭＳ−Ｃが成功にＵＬ  Ｐｅｒｓｉｓｔｅｎｔ  Ａ−ＭＡＰ  ＩＥを受信したと確認する。
そうでなければ、移動端末ＭＳ−Ｃが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｃへ別に再送信する。
【０１２９】
移動端末ＭＳ−Ａ、移動端末ＭＳ−Ｂ、移動端末ＭＳ−ＣがすでにＵＬ  Ｐｅｒｓｉｓｔｅｎｔ  Ａ−ＭＡＰ  ＩＥを成功に受信した場合、基地局は、ＬＲＵ１リソースを解放し、該リソースを他の操作に割当てる。
【０１３０】
[実施例１０]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰメッセージに、それぞれアップリンク・サブフレーム６、アップリンク・サブフレーム７、アップリンク・サブフレーム８の関係制御情報を含ませると仮定する。
【０１３１】
図５に示す通り、基地局が、ｋフレーム目で、サブフレーム１のＡ−ＭＡＰメッセージのアップリンク固定リソース割当て信号ＵＬ  Ｐｅｒｓｉｓｔｅｎｔ  Ａ−ＭＡＰ  ＩＥを介して、移動端末ＭＳ−Ａ、移動端末ＭＳ−Ｂ、移動端末ＭＳ−Ｃに、それぞれアップリンク固定リソースＰＡ１（サブフレーム６に含まれ、割当周期（ＡＰ）は４フレームである）、ＰＡ２（サブフレーム６に含まれ、割当周期（ＡＰ）は４フレームである）、ＰＡ３（サブフレーム６に含まれ、割当周期（ＡＰ）は４フレームである）を割当てる。
図５に示す通り、ＬＲＵは、一つまたは複数の符号及び一つまたは複数のサブキャリアを含む時間領域と周波数領域を持つ二次元構造の一つのリソース割当てユニットである。
【０１３２】
ＵＬ  Ｐｅｒｓｉｓｔｅｎｔ  Ａ−ＭＡＰ  ＩＥには、上記の移動端末ＭＳ−Ａ、移動端末ＭＳ−Ｂ、移動端末ＭＳ−Ｃに割当てられたアップリンク固定リソースＰＡ１、ＰＡ２、ＰＡ３の関係情報と、移動端末ＭＳ−Ａ、移動端末ＭＳ−Ｂ、移動端末ＭＳ−Ｃに割当てた共通フィードバック・リソースＰＡ−Ｃの具体的なリソースの位置情報と、が含まれている。
【０１３３】
移動端末ＭＳ−Ａ、移動端末ＭＳ−Ｂ、移動端末ＭＳ−Ｃは、基地局からのＵＬ  Ｐｅｒｓｉｓｔｅｎｔ  Ａ−ＭＡＰ  ＩＥを成功に受信した後、フィードバック操作を実行する。
具体的には、下記ステップ（１）乃至（３）を含むことが好ましい。
【０１３４】
ステップ（１）において、ＵＬ  Ｐｅｒｓｉｓｔｅｎｔ  Ａ−ＭＡＰ  ＩＥをデコードし、ＵＬ  Ｐｅｒｓｉｓｔｅｎｔ  Ａ−ＭＡＰ  ＩＥフィードバック情報を送信するリソースの共通フィードバック・リソースＰＡ−Ｃにおける位置情報を決める。
本実施例において、図５に示す通り、移動端末ＭＳ−Ａ、移動端末ＭＳ−Ｂ、移動端末ＭＳ−Ｃのフィードバック用リソースは、ＰＡ−Ｃの中のリソースユニットＬＲＵ１であると仮定する。
【０１３５】
ステップ（２）において、フィードバック情報の内容を定める。
本実施例において、フィードバック情報の内容が、標準デフォルト設定に予め定義するコード・ワード・シーケンスと設定されると仮定する。
例えば、「１」が、ＵＬ  Ｐｅｒｓｉｓｔｅｎｔ  Ａ−ＭＡＰ  ＩＥを成功に受信したことを表す。
コード・ワード・シーケンスは、一組の直交のコード・ワード・シーケンス集合からのもの、または一組の準直交のコード・ワード・シーケンス集合からのものが好ましい。
【０１３６】
あるいは、ここでいうフィードバック情報は、移動端末の識別情報であることができる。
例えば、「００１」がＭＳ−Ａ、「０１０」がＭＳ−Ｂ、「０１１」がＭＳ−Ｃを表す。
あるいは、ここでいうフィードバック情報が、移動端末に割当てられたアップリンク固定リソースの関係情報、例えば、固定リソースの初期位置情報、終了位置情報、リソース大きさ情報、またはその他の該固定リソースを表す可能な関係情報であってもよい。
【０１３７】
ステップ（３）において、移動端末ＭＳ−Ａがフィードバック・リソースＬＲＵ１で送信したフィードバック情報（「１」）は、コード・ワード・シーケンスＡｎ１でスペクトラム拡散して得られたコード・ワード・シーケンスＢｎ１を使用する。
その中、Ａｎ１が、一組の直交または準直交のコード・ワード・シーケンス集合から移動端末ＭＳ−Ａに割当てた一つの直交または準直交のコード・ワード・シーケンスである。
同様に、移動端末ＭＳ−Ｂがフィードバック・リソースＬＲＵ１で送信したフィードバック情報（「１」）は、コード・ワード・シーケンスＡｎ２でスペクトラム拡散して得られたコード・ワード・シーケンスＢｎ２を使用する。
移動端末ＭＳ−Ｃがフィードバック・リソースＬＲＵ１で送信したフィードバック情報（「１」）は、コード・ワード・シーケンスＡｎ３でスペクトラム拡散させて得られたコード・ワード・シーケンスＢｎ３を使用する。
【０１３８】
その中、基地局は、各移動端末に割当てられたコード・ワード・シーケンスＡｎ１Ａｎ２Ａｎ３を知っている。
基地局は、移動端末からのフィードバック情報を受信する。
基地局は、移動端末ＭＳ−Ａに割当てたＰＡ−ＣのＬＲＵ１から、Ａｎ１で逆スペクトラム拡散することを介しフィードバック情報「１」を獲得した場合、移動端末ＭＳ−Ａが成功にＵＬ  Ｐｅｒｓｉｓｔｅｎｔ  Ａ−ＭＡＰ  ＩＥを受信したと確認する。
そうでなければ、移動端末ＭＳ−Ａが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ａへ別に再送信する。
基地局は、移動端末ＭＳ−Ｂに割当てたＰＡ−ＣのＬＲＵ１から、Ａｎ２で逆スペクトラム拡散することを介しフィードバック情報「１」を獲得した場合、移動端末ＭＳ−Ｂが成功にＵＬ  Ｐｅｒｓｉｓｔｅｎｔ  Ａ−ＭＡＰ  ＩＥを受信したと確認する。
そうでなければ、移動端末ＭＳ−Ｂが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｂへ別に再送信する。
基地局は、移動端末ＭＳ−Ｃに割当てたＰＡ−ＣのＬＲＵ１から、Ａｎ３で逆スペクトラム拡散することを介しフィードバック情報「１」を獲得した場合、移動端末ＭＳ−Ｃが成功にＵＬ  Ｐｅｒｓｉｓｔｅｎｔ  Ａ−ＭＡＰ  ＩＥを受信したと確認する。
そうでなければ、移動端末ＭＳ−Ｃが成功にＵＬ  Ｐｅｒｓｉｓｔｅｎｔ  Ａ−ＭＡＰ  ＩＥを受信しなかったとして、ＵＬ  Ｐｅｒｓｉｓｔｅｎｔ  Ａ−ＭＡＰ  ＩＥ信号を、移動端末ＭＳ−Ｃへ別に再送信する。
【０１３９】
移動端末ＭＳ−Ａ、移動端末ＭＳ−Ｂ、移動端末ＭＳ−ＣがすでにＵＬ  Ｐｅｒｓｉｓｔｅｎｔ  Ａ−ＭＡＰ  ＩＥを成功に受信した場合、基地局は、ＬＲＵ１リソースを解放し、該リソースを他の操作に割当てる。
【０１４０】
上記記述したのは、固定リソースを割当てる場合の本発明の実施例による実現過程である。
本発明は以上に限られない。
以下の実施例１１は、アップリンク・グループ・リソースの割当てに関する処理を記述する。
【０１４１】
基地局に対して、基地局が、ダウンリンク・チャネルを介し、移動端末グループ内の移動端末に割当てたアップリンク・グループ・リソース情報を含むアップリンク・グループ・リソース割当て信号を送信する。
アップリンク・グループ・リソースの割当て情報を、移動端末グループ内の移動端末に送信する。
移動端末は、一つまたは複数の移動端末を含む。
【０１４２】
移動端末グループ内の移動端末が、基地局からのアップリンク・グループ・リソース割当て信号を受信する。
そして、予定リソースで、フィードバック情報を送信する。
ここでいう予定リソースは、アップリンク・グループ・リソース位置情報によってマッピング或いは計算して得られるリソースと、一つまたは複数の移動端末グループに割当てた共通フィードバック・リソースの全部または一部のリソースと、アップリンク・グループ・リソース割当て信号から移動端末に割当てたアップリンク・グループ・リソースの全部または一部のリソースと、の中の一つであることが好ましい。
【０１４３】
その中、ここでいうフィードバック情報は、移動端末が成功にアップリンク・グループ・リソース割当て信号を受信したことを指示するものである。
フィードバック情報は、移動端末グループの識別情報、移動端末の識別情報、移動端末に割当てたグループ・リソースに関係する指示情報、コード・ワード・シーケンス及び直交または準直交のコード・ワード・シーケンスでスペクトラム拡散した後の移動端末グループの識別情報、移動端末の識別情報、移動端末に割当てたグループ・リソースに関係する指示情報、コード・ワード・シーケンスの中の一つを含む。
【０１４４】
[実施例１１]
本実施例において、Ａ−ＭＡＰメッセージの周期は、１つのサブフレームである。
一つのフレームには、Ｎ個のサブフレームが含まれる。その中、ダウンリンク・サブフレームはＮＤＬ個で、アップリンク・サブフレームはＮＵＬ個であり、且つＮＤＬ＋ＮＵＬ＝Ｎに満足すると仮定する。
本実施例において、Ｎ＝８、ＮＤＬ＝５、ＮＵＬ＝３、基地局が、５つのダウンリンク・サブフレームの中のサブフレーム１、サブフレーム２及びサブフレーム３で送信されるＡ−ＭＡＰメッセージに、それぞれアップリンク・サブフレーム６、アップリンク・サブフレーム７、アップリンク・サブフレーム８の関係制御情報を含ませると仮定する。
【０１４５】
図６に示す通り、基地局が、ｋフレーム目で、サブフレーム１のＡ−ＭＡＰメッセージのアップリンク・グループ・リソース割当て信号ＵＬ  Ｐｅｒｓｉｓｔｅｎｔ  Ａ−ＭＡＰ  ＩＥ（ＵＬ ＧＲＡ Ａ−ＭＡＰ ＩＥ）を介して、移動端末グループ（Ｇｒｏｕｐ１）内の移動端末ＭＳ−Ａ、移動端末ＭＳ−Ｂ、移動端末ＭＳ−Ｃに、アップリンク・グループ・リソース（Ｇｒｏｕｐ  Ｒｅｓｏｕｒｃｅ１）を割当てる。
サブフレーム６において、割当周期（ＡＰ）は、４フレームである。
その中、移動端末ＭＳ−ＡにＧＲＡ１、移動端末ＭＳ−ＢにＧＲＡ２、移動端末ＭＳ−ＣにＧＲＡ３を割当てる。
図５に示す通り、ＬＲＵは、一つまたは複数の符号及び一つまたは複数のサブキャリアを含む時間領域と周波数領域を持つ二次元構造の一つのリソース割当てユニットである。
【０１４６】
ＵＬ  Ｐｅｒｓｉｓｔｅｎｔ  Ａ−ＭＡＰ  ＩＥには、上記の移動端末ＭＳ−Ａ、移動端末ＭＳ−Ｂ、移動端末ＭＳ−Ｃに割当てたアップリンク・グループ・リソースＧＲＡ１、ＧＲＡ２、ＧＲＡ３の関係情報が含まれている。
【０１４７】
移動端末ＭＳ−Ａ、移動端末ＭＳ−Ｂ、移動端末ＭＳ−Ｃは、基地局からのＵＬ ＧＲＡ Ａ−ＭＡＰ ＩＥを成功に受信した後、フィードバック操作を実行する。
具体的には、下記ステップ（１）乃至（３）を含むことが好ましい。
【０１４８】
ステップ（１）において、ＵＬ ＧＲＡ Ａ−ＭＡＰ ＩＥをデコードし、ＵＬ ＧＲＡ Ａ−ＭＡＰ ＩＥフィードバック・メッセージを送信するリソースの位置の情報を決める。
移動端末グループ内の移動端末のフィードバック・メッセージを送信するリソースが、それぞれ割当てられたグループ・リソースの一番目のＬＲＵに位置すると仮定する。
該情報は、基準デフォルトに従って設定される。
本実施例において、図６に示す通り、移動端末ＭＳ−Ａ、移動端末ＭＳ−Ｂ、移動端末ＭＳ−Ｃがフィードバック情報を送信するリソースは、それぞれＬＲＵ１、ＬＲＵ２、ＬＲＵ３である。
【０１４９】
ステップ（２）において、フィードバック情報の内容を定める。
本実施例において、フィードバック情報の内容が、標準デフォルト設定に予め定義するコード・ワード・シーケンスと設定されると仮定する。
例えば、「１」が、ＵＬ  Ｐｅｒｓｉｓｔｅｎｔ  Ａ−ＭＡＰ  ＩＥを成功に受信したことを表す。
コード・ワード・シーケンスは、一組の直交のコード・ワード・シーケンス集合からのもの、または一組の準直交のコード・ワード・シーケンス集合からのものが好ましい。
【０１５０】
或いは、ここでいうフィードバック情報は、移動端末グループの識別情報であってもよい。
例えば、「０００１」がＧｒｏｕｐ１を表す。
又は、移動端末の識別情報であってもよい。
例えば、「００１」がＭＳ−Ａ、「０１０」がＭＳ−Ｂ、「０１１」がＭＳ−Ｃを表す。
或いは、ここでいうフィードバック情報は、移動端末に割当てたアップリンク・グループ・リソースの関係情報、例えば、該グループ・リソースの初期位置情報、終了位置情報、リソース大きさ情報、またはその他の該グループ・リソースを表す可能な関係情報であってもよい。
【０１５１】
ステップ（２）において、移動端末ＭＳ−Ａがフィードバック・リソースＬＲＵ１でフィードバック情報（「１」）を、移動端末ＭＳ−Ｂがフィードバック・リソースＬＲＵ２でフィードバック情報（「１」）を、移動端末ＭＳ−Ｃがフィードバック・リソースＬＲＵ３でフィードバック情報（「１」）を、送信する。
【０１５２】
基地局は、移動端末からのフィードバック情報を受信する。
基地局は、移動端末ＭＳ−Ａに割当てられたＬＲＵ１でフィードバック情報「１」を獲得した場合、移動端末ＭＳ−Ａが成功にＵＬ ＧＲＡ Ａ−ＭＡＰ ＩＥを受信したと確認する。
そうでなければ、移動端末ＭＳ−Ａが成功にＵＬ ＧＲＡ Ａ−ＭＡＰ ＩＥを受信しなかったとして、ＵＬ ＧＲＡ Ａ−ＭＡＰ ＩＥ信号を、移動端末ＭＳ−Ａへ別に再送信する。
基地局は、移動端末ＭＳ−Ｂに割当てたＬＲＵ２でフィードバック情報が「１」を獲得した場合、移動端末ＭＳ−Ｂが成功にＵＬ ＧＲＡ Ａ−ＭＡＰ ＩＥを受信したと確認する。
そうでなければ、移動端末ＵＬ ＧＲＡ Ａ−ＭＡＰ ＩＥを受信しなかったとして、ＵＬ ＧＲＡ Ａ−ＭＡＰ ＩＥ信号を、移動端末ＭＳ−Ｂへ別に再送信する。
基地局は、移動端末ＭＳ−Ｃに割当てたＬＲＵ３でフィードバック情報「１」を獲得したある場合、移動端末ＭＳ−Ｃが成功にＵＬ ＧＲＡ Ａ−ＭＡＰ ＩＥを受信したと確認する。
そうでなければ、移動端末ＭＳ−Ｃが成功にＵＬ ＧＲＡ Ａ−ＭＡＰ ＩＥを受信しなかったとして、ＵＬ ＧＲＡ Ａ−ＭＡＰ ＩＥ信号を、移動端末ＭＳ−Ｃへ別に再送信する。
【０１５３】
移動端末ＭＳ−Ａは、すでにＵＬ ＧＲＡ Ａ−ＭＡＰ ＩＥを成功に受信した場合、次のＧＲＡ１リソース割当ての際にＬＲＵ１リソースでデータ情報を送信する。
同様に、移動端末ＭＳ−Ｂは、すでにＵＬ ＧＲＡ Ａ−ＭＡＰ ＩＥを成功に受信した場合、次のＧＲＡ２リソース割当ての際にＬＲＵ２リソースでデータ情報を送信する。
同様に、移動端末ＭＳ−Ｃは、すでにＵＬ ＧＲＡ Ａ−ＭＡＰ ＩＥを成功に受信した場合、次のＧＲＡ３リソース割当ての際にＬＲＵ３リソースでデータ情報を送信する。
【０１５４】
本実施例において、ＭＳ−ＡがすでにＵＬ ＧＲＡ Ａ−ＭＡＰ ＩＥを成功に受信したと仮定する。
ＭＳ−Ａは、（ｋ＋４）フレーム目のサブフレーム６のＬＲＵ１リソースで、データ情報を送信する。
【０１５５】
以上の実施例において、ダウンリンク・サブフレーム１、ダウンリンク・サブフレーム２、ダウンリンク・サブフレーム３で、アップリンク・サブフレーム６、アップリンク・サブフレーム７、アップリンク・サブフレーム８を利用したフィードバック操作を指示することについて記述した。
当業者にとって、実施の状況によって、その他の適切な方法やダウンリンク・サブフレームで指示することが可能である。
たとえば、上記のそれぞれ一つのダウンリンク・サブフレームでアップリンク・サブフレームに対して指示する他に、一つのダウンリンク・サブフレームで複数のアップリンク・サブフレームに対して指示することも可能である。
本発明がこれらについて限定していないことは、言うまでもない。
【０１５６】
上記は本発明の好適実施例に過ぎず、本発明を限定するものではない。
当業者にとって、本発明に様々な修正や変形が可能である。
本発明の要旨や原則内での如何なる修正、置換、改良などは本発明の保護範囲内に含まれる。
【図１】
0005668061.tif 000003
【図２】
0005668061.tif 000004
【図３】
0005668061.tif 000005
【図４】
0005668061.tif 000006
【図５】
0005668061.tif 000007
【図６】
0005668061.tif 000008